(57)【特許請求の範囲】
【請求項１】
記録媒体を支持する支持面を有する搬送機構と、
前記搬送機構が記録媒体を搬送方向に搬送するように、前記搬送機構を駆動させる駆動部と、
前記支持面に対向し、記録媒体に画像を形成するインクジェット記録部と、
前記インクジェット記録部、前記搬送機構及び前記駆動部を収納する筐体と、
前記駆動部の前記搬送機構を駆動する駆動力によって駆動され、前記筐体内のインクミストを吸引する吸引装置とを備えており、
前記搬送機構は、互いに平行な回転軸を有する複数のローラと、前記複数のローラに巻き掛けられ、前記支持面が無端状に形成された搬送ベルトと、前記複数のローラを回転可能に支持し、前記搬送ベルトを前記ローラの回転軸方向に挟む位置に配置される一対の支持フレームとを有しており、
前記吸引装置は、回転することによって気流を発生させる１以上のファンを有しており、
前記ファンが、少なくとも１つの前記ローラに対して同軸上に取り付けられ、前記回転軸方向に関して、前記搬送ベルトとの間に前記一対の支持フレームのうちの少なくとも一方の支持フレームを挟む位置に配置され、
前記ファンの回転軸から最も離れた部分が、前記支持面に対して前記インクジェット記録部と同じ側に位置し且つ前記一方の支持フレームにおける前記ファンと対向する部分よりも前記支持面と直交する方向に関して前記インクジェット記録部側に位置していることを特徴とするインクジェット記録装置。
【請求項２】
前記吸引装置が、前記搬送方向に関して、前記インクジェット記録部よりも下流に配置されていることを特徴とする請求項１に記載のインクジェット記録装置。
【請求項３】
前記ファンが、前記回転軸方向に関して前記搬送ベルトを挟むように２つ設けられており、
前記２つのファンのうちの一方のファンは、前記回転軸方向に関して、前記一方のファンから前記搬送ベルトの中央に向かう気流を生じさせ、
前記２つのファンのうちの他方のファンは、前記回転軸方向に関して、前記搬送ベルトから前記他方のファンに向かう気流を生じさせることを特徴とする請求項１又は２に記載のインクジェット記録装置。
【請求項４】
前記吸引装置によって吸引されたインクミストを処理するインクミスト処理部をさらに備えていることを特徴とする請求項１〜３のいずれか１項に記載のインクジェット記録装置。
【請求項５】
前記インクミスト処理部は、前記吸引装置によって吸引されたインクミストを捕獲するフィルタを有していることを特徴とする請求項４に記載のインクジェット記録装置。
【発明の詳細な説明】
【技術分野】
【０００１】
本発明は、記録媒体にインクを吐出して画像を形成するインクジェット記録装置に関する。
【背景技術】
【０００２】
特許文献１には、記録媒体を静電吸着しつつ搬送する搬送装置と、搬送装置によって搬送される記録媒体にインクを吐出する記録ヘッドと、記録ヘッドが放出したインクミストを吸引するミスト回収部とを有するインクジェット記録装置について記載されている。このインクジェット記録装置において、ミスト回収部は、記録ヘッドの下流側壁面に隣接して配置された吸引部を有するダクトと、ダクト内に配置されたファンと、インクミストを捕集するフィルタとを含んでいる。そして、ファンが駆動されることによって、吸引部からインクミストが吸引される。
【０００３】
【特許文献１】特開２００５−２７１３１４号公報
【発明の開示】
【発明が解決しようとする課題】
【０００４】
上記特許文献１に記載のインクジェット記録装置においては、インクミストを吸引するための専用のファンがダクト内に設けられている。このファンを駆動する駆動源（駆動モータなど）については何ら記載されていないが、ファンがダクト内に配置されていることから駆動源がファンに内蔵されているものであると考えられる。このように上記インクジェット記録装置においては、インクミストを吸引するために、ファン（回転羽根）を駆動させるための専用の駆動源が設けられており、部品点数が増加する。
【０００５】
そこで、本発明の目的は、搬送機構を駆動する駆動力を利用してインクミストを吸引し、部品点数の増加を抑制することが可能なインクジェット記録装置を提供することである。
【課題を解決するための手段】
【０００６】
本発明のインクジェット記録装置は、記録媒体を支持する支持面を有する搬送機構と、前記搬送機構が記録媒体を搬送方向に搬送するように、前記搬送機構を駆動させる駆動部と、前記支持面に対向し、記録媒体に画像を形成するインクジェット記録部と、前記インクジェット記録部、前記搬送機構及び前記駆動部を収納する筐体と、前記駆動部の前記搬送機構を駆動する駆動力によって駆動され、前記筐体内のインクミストを吸引する吸引装置とを備えている。そして、前記搬送機構は、互いに平行な回転軸を有する複数のローラと、前記複数のローラに巻き掛けられ、前記支持面が無端状に形成された搬送ベルトと、前記複数のローラを回転可能に支持し、前記搬送ベルトを前記ローラの回転軸方向に挟む位置に配置される一対の支持フレームとを有しており、前記吸引装置は、回転することによって気流を発生させる１以上のファンを有しており、前記ファンが、少なくとも１つの前記ローラに対して同軸上に取り付けられ、前記回転軸方向に関して、前記搬送ベルトとの間に前記一対の支持フレームのうちの少なくとも一方の支持フレームを挟む位置に配置され、前記ファンの回転軸から最も離れた部分が、前記支持面に対して前記インクジェット記録部と同じ側に位置し且つ前記一方の支持フレームにおける前記ファンと対向する部分よりも前記支持面と直交する方向に関して前記インクジェット記録部側に位置している。
【０００７】
これによると、記録媒体に画像を形成するとき、駆動部が搬送機構を駆動して記録媒体を搬送する。このとき、駆動部の搬送機構を駆動する駆動力により吸引装置が駆動され、筐体内の気中に漂うインクミストを吸引する。このように駆動部の搬送機構を駆動する駆動力を、インクミストの吸引にも利用することが可能になり、インクミストを吸引するための専用の駆動源を別に設ける必要がなくなって部品点数の増加を抑制することができる。また、搬送機構が駆動されているときはインクミストが発生し易いときであるため、特別な制御をせずに吸引装置によって吸引することが可能となる。また、吸引装置の構成が簡易になる。また、インクミストの吸引力がより向上する。
【０００８】
本発明において、前記吸引装置が、前記搬送方向に関して、前記インクジェット記録部よりも下流に配置されていることが好ましい。これにより、記録媒体を搬送方向に搬送することによって生じる搬送方向の気流に運ばれたインクミストを効果的に吸引することが可能となる。
【００１０】
また、このとき、前記ファンが、前記回転軸方向に関して前記搬送ベルトを挟むように２つ設けられており、前記２つのファンのうちの一方のファンは、前記回転軸方向に関して、前記一方のファンから前記搬送ベルトの中央に向かう気流を生じさせ、前記２つのファンのうちの他方のファンは、前記回転軸方向に関して、前記搬送ベルトから前記他方のファンに向かう気流を生じさせていてもよい。これにより、インクミストの吸引力が向上する。
【００１４】
また、本発明において、前記吸引装置によって吸引されたインクミストを処理するインクミスト処理部をさらに備えていることが好ましい。これにより、吸引したインクミストを処理することが可能となる。
【００１５】
また、このとき、前記インクミスト処理部は、前記吸引装置によって吸引されたインクミストを捕獲するフィルタを有していてもよい。これにより、インクミストを捕獲することが可能になる。
【発明の効果】
【００１６】
本発明のインクジェット記録装置によると、記録媒体に画像を形成するとき、駆動部が搬送機構を駆動して記録媒体を搬送する。このとき、駆動部の搬送機構を駆動する駆動力により吸引装置が駆動され、筐体内の気中に漂うインクミストを吸引する。このように駆動部の搬送機構を駆動する駆動力を、インクミストの吸引にも利用することが可能になり、インクミストを吸引するための専用の駆動源を別に設ける必要がなくなって部品点数の増加を抑制することができる。また、搬送機構が駆動されているときはインクミストが発生し易いときであるため、特別な制御をせずに吸引装置によって吸引することが可能となる。また、吸引装置の構成が簡易になる。また、インクミストの吸引力がより向上する。
【発明を実施するための最良の形態】
【００１７】
以下、本発明の好適な実施の形態について、図面を参照しつつ説明する。
【００１８】
図１は、本発明の第１実施形態によるインクジェットプリンタの内部構造を示す概略側面図である。図２は、図１に示す搬送ユニット４０及びその近傍を示す説明図である。インクジェットプリンタ１は、図１に示すように、直方体形状の筐体１ａを有しており、上部に排紙部３が設けられている。筐体１ａ内は、上から順に２つの空間Ａ、Ｂに区分されている。空間Ａには、マゼンタ、シアン、イエロー、ブラックのインクをそれぞれ吐出する４つのインクジェットヘッド２及び搬送ユニット４０が順に配置されている。空間Ｂには、給紙装置２３が配置されている。
【００１９】
インクジェットプリンタ１の内部には、給紙装置２３から排紙部３に向けて図１に示す太矢印に沿って用紙Ｐが搬送される用紙搬送経路が形成されている。給紙装置２３は、積層された複数の用紙Ｐを収納可能な給紙カセット２４と、給紙カセット２４から用紙Ｐを送り出す給紙ローラ２５とを有している。給紙ローラ２５は、給紙カセット２４に積層して収納された複数の用紙Ｐのうち、最も上方にある用紙Ｐを送り出す。給紙ローラ２５によって送り出された用紙Ｐは、ガイド２７ａ，２７ｂによりガイドされ且つ送りローラ対２６によって挟持されつつ搬送ユニット４０へと送られる。
【００２０】
搬送ユニット４０は、図１及び図２に示すように、互いに平行な回転軸を有する３つのローラ４１〜４３と、これらローラ４１〜４３に架け渡されるように巻回されたエンドレスの搬送ベルト４４と、これら３つのローラ４１〜４３を回転可能に支持する一対の支持フレーム５１とを有している。３つのローラ４１〜４３のうち、ローラ４３は搬送ベルト４４の下側ループにおいてその内周面に接触しつつ搬送ベルト４４にテンションを付加するテンションローラであり、残りの２つのローラ４１，４２はベルトローラである。
【００２１】
図２（ｂ）に示すように、ベルトローラ４２の側方には、ベルトローラ４２を回転させる駆動機構（駆動部）８０が設けられている。駆動機構８０は、筐体１ａに固定された駆動モータ８１と、駆動モータ８１の軸部材８１ａに固定されたギア８２とを有しており、ギア８２は軸部材４２ｘの端部に固定されたギア４２ａと噛み合っている。この構成において、駆動モータ８１が駆動されると、その駆動力が２つのギア４２ａ，８２を介して軸部材４２ｘに伝達され、ベルトローラ４２が駆動モータ８１の軸部材８１ａの回転方向とは逆方向に回転する。すなわち、ベルトローラ４２は駆動ローラであり、用紙Ｐを搬送するときは通常、図２（ａ）中時計回り方向に回転する。一方、ベルトローラ４１は、従動ローラであって、ベルトローラ４２の回転により搬送ベルト４４が走行するのに伴って、図２中時計回り方向に回転する。なお、テンションローラ４３も、搬送ベルト４４が走行するのに伴って、図２中時計回り方向に回転する。
【００２２】
搬送ベルト４４の外周面（支持面）４５にはシリコーン処理が施されており、粘着性を有している。用紙搬送経路上において搬送ベルト４４を挟んでベルトローラ４１と対向する位置には、図１に示すように、ニップローラ４が配置されている。ニップローラ４は、給紙装置２３から送り出された用紙Ｐを搬送ベルト４４の外周面４５に押さえ付ける。外周面４５に押さえ付けられた用紙Ｐは、その粘着力によって外周面４５上に保持されつつ、図２中右方（用紙Ｐの搬送方向Ｃ）へと搬送される。なお、本実施形態においては、搬送ユニット４０で用紙Ｐを搬送するときの搬送方向Ｃと平行な方向を副走査方向とし、副走査方向と直交する方向であって水平面に沿った方向を主走査方向とする。
【００２３】
一対の支持フレーム５１は、図２に示すように板状部材からなり、３つのローラ４１〜４３を回転軸方向（主走査方向）に関して挟む位置に配置されている。また、一対の支持フレーム５１の下端部は、搬送ベルト４４の下側ループの傾斜に沿って下端中央が下方に突出した形状となっている。
【００２４】
インクジェットヘッド２よりも搬送方向Ｃの下流に位置するベルトローラ４２の軸部材４２ｘには、搬送ベルト４４を挟む位置であって一対の支持フレーム５１よりも外側に２つのファン（吸引装置）６１，６２が固定されている。すなわち、ファン６１，６２がベルトローラ４２に対して同軸上に取り付けられている。ファン６１，６２は、軸部材４２ｘが回転することによって同方向に回転し且つ回転軸方向の一方に気流を生じさせる回転羽根からなる。ファン６１，６２は、より具体的には軸部材４２ｘに固定された筒状部材と、回転軸方向に対して所定角度傾いた状態で筒状部材の外周面に固定された複数の羽根とからなる。また、ファン６１，６２は、軸部材４２ｘが図２（ａ）中時計回り方向に回転することによって図２（ｂ）中下方に向かう気流を生じさせるように配置されている。
【００２５】
ファン６１，６２は、図２（ａ）に示すように、その直径がベルトローラ４２よりも大きく形成されており、その外周縁の一部（回転軸から最も離れた部分の一部）が外周面４５よりも外側に位置している。すなわち、ファン６１，６２の外周縁の一部が、外周面４５に対してインクジェットヘッド２と同じ側に位置している。
【００２６】
また、図２（ｂ）に示すように、筐体１ａのファン６１と対向する位置には、インクミスト処理部７０が設けられている。インクミスト処理部７０は、筐体１ａに固定されたダクト７１と、インクミストを捕獲するフィルタ７２とを有している。ダクト７１は、図２（ｂ）に示すように、Ｌ字形状の断面を有する筒状部材からなる。ダクト７１の一方の端部には、ファン６１をダクト７１内に配置可能なようにファン６１よりも大きい開口７１ａが形成されており、他方の端部は筐体１ａに形成された開口１ｂに固定されている。フィルタ７２は、ダクト７１の他方の端部に形成された開口７１ｂに配置されており、筐体１ａの外から容易に交換することが可能となっている。
【００２７】
４つのインクジェットヘッド２は、それぞれ主走査方向に沿って延在し、副走査方向に並設されており、フレーム６を介して筐体１ａに支持されている。すなわち、インクジェットプリンタ１は、主走査方向に延びた吐出領域が形成されたライン式のカラーインクジェットプリンタである。各インクジェットヘッド２の下面は、複数のインク吐出口（不図示）が形成されてなる主走査方向に延びた吐出領域を有する吐出面２ａとなっている。
【００２８】
搬送ベルト４４のループ内には、４つのインクジェットヘッド２と対向するように、ほぼ直方体形状のプラテン１９が配置されている。プラテン１９は、図２（ｂ）に示すように、主走査方向の両端が一対の支持フレーム５１に固定されている。プラテン１９の上面は、搬送ベルト４４の上側ループの内周面と接触しており、搬送ベルト４４の内周側からこれを支持している。これにより、搬送ベルト４４の上側ループの外周面４５とインクジェットヘッド２の下面、すなわち吐出面２ａとが対向しつつ平行になり、且つ、吐出面２ａと搬送ベルト４４の外周面４５との間に僅かな隙間が形成されている。当該隙間は、用紙搬送経路の一部を構成している。搬送ベルト４４の外周面４５上に保持されつつ搬送されてきた用紙Ｐが４つのインクジェットヘッド２のすぐ下方を順に通過する際に、各インクジェットヘッド２から用紙Ｐの上面に向けて各色のインクが吐出され、用紙Ｐ上に所望のカラー画像が形成される。
【００２９】
図１に示すように、用紙搬送経路上において搬送ベルト４４を挟んでベルトローラ４２と対向する位置には、剥離プレート５が設けられている。剥離プレート５は、搬送ベルト４４の外周面４５に保持されている用紙Ｐを外周面４５から剥離する。剥離プレート５によって外周面４５から剥離された用紙Ｐは、ガイド２９ａ，２９ｂによりガイドされ且つ二組の送りローラ対２８によって挟持されつつ搬送され、筐体１ａ上部に形成された開口３０から排紙部３へと排出される。こうして、画像が形成された用紙Ｐが排紙部３に排出される。
【００３０】
次に、インクジェットヘッド２からインクを吐出したときに生じるインクミストの流れについて説明する。用紙Ｐに画像を形成するとき、搬送ユニット４０が駆動機構８０によって駆動され、給紙装置２３から送り出された用紙Ｐが搬送方向Ｃに搬送される。このとき、ベルトローラ４２の図２（ａ）中時計回り方向の回転に伴ってファン６１，６２も同方向に回転する。これらファン６１，６２の回転に伴って、ベルトローラ４２の周囲近傍には、図２（ｂ）中太矢印で示す方向（下方）に気流が生じる。そして、用紙Ｐがインクジェットヘッド２と対向する領域を通過する際に、インクジェットヘッド２から用紙Ｐに向けてインクが吐出される。このインク吐出に伴って、吐出面２ａ近傍にはインクミストが漂う。このインクミストは、用紙Ｐの搬送に伴う搬送方向Ｃの気流によってインクジェットヘッド２の下流に運ばれていく。
【００３１】
インクジェットヘッド２よりも搬送方向Ｃの下流に運ばれたインクミストは、ファン６１，６２による気流によってファン６１側に吸引される。ファン６１，６２によって吸引されたインクミストは、ダクト７１内において、気流と共に開口７１ａから開口７１ｂに向かって流れ、フィルタ７２によって捕獲される。このようにインクミスト処理部７０が設けられていることで、インクミストを処理することが可能となる。そして、インクミストが取り除かれた空気が筐体１ａの外に排出される。
【００３２】
なお、インクジェットヘッド２によって画像が形成された用紙Ｐは、搬送ユニット４０によってインクジェットヘッド２と対向する領域から搬送方向Ｃに搬送される。このとき、搬送ユニット４０の駆動に伴ってファン６１，６２も回転しているので、上述のようにベルトローラ４２の周囲近傍に気流が生じており、この気流が生じている領域を通過するように用紙Ｐが搬送ユニット４０によって搬送される。そのため、用紙Ｐに気流が当たり、画像の乾燥を促進させることが可能になる。したがって、用紙Ｐの画像を乾燥させるための乾燥装置を別に設ける必要がなくなって、部品点数の増加を抑制することができる。
【００３３】
以上のように、本実施形態によるインクジェットプリンタ１によると、用紙Ｐに画像を形成するとき、駆動機構８０が搬送ユニット４０を駆動して用紙Ｐを搬送する。このとき、駆動機構８０の搬送ユニット４０を駆動する駆動力によりファン６１，６２が駆動され、筐体１ａ内の気中に漂うインクミストを吸引する。このように駆動機構８０の搬送ユニット４０を駆動する駆動力を、インクミストの吸引にも利用することが可能になり、インクミストを吸引するための専用の駆動源を別に設ける必要がなくなって部品点数の増加を抑制することができる。また、搬送ユニット４０が駆動されているときはインクミストが発生し易いときであるため、特別な制御をせずにファン６１，６２によって吸引することが可能となる。
【００３４】
また、ファン６１，６２が、搬送方向Ｃに関して、インクジェットヘッド２よりも下流に配置されているので、用紙Ｐの搬送方向Ｃに搬送することによって生じる搬送方向Ｃの気流に運ばれたインクミストを効果的に吸引することが可能となる。また、２つのファン６１，６２が搬送ベルト４４を挟んで同方向の気流を発生させるので、気流が強くなりそのインクミストの吸引力が向上する。このため、インクジェットヘッド２の搬送方向Ｃの下流に運ばれてきたインクミストをより効果的に吸引することが可能となる。
【００３５】
また、ファン６１，６２が軸部材４２ｘに同軸上に取り付けられているので、その構成が簡易になる。また、ファン６１，６２の外周縁が外周面４５よりも外側に位置するので、ファン６１，６２による気流が外周面４５上に流れやすくなり、吸引力がより向上する。
【００３６】
続いて、本発明の第２実施形態によるインクジェットプリンタについて以下に説明する。図３は、本発明の第２実施形態によるインクジェットプリンタの搬送ユニット及びその近傍を示す説明図である。本実施形態におけるインクジェットプリンタは、ファンの配置位置及びその動力を伝達する伝達機構が第１実施形態と異なるだけで、それ以外は第１実施形態と同様である。なお、第１実施形態と同様なものに関しては同符号で示し説明を省略する。
【００３７】
本実施形態におけるインクジェットプリンタには、図３に示すように、吸引装置２６０が設けられている。吸引装置２６０は、第１実施形態のファン６１，６２と同様な構成を有する２つのファン２６１，２６２と、軸部材４２ｘと平行に配置され筐体１ａに回転可能に支持された軸部材２６３と、軸部材２６３に駆動機構８０の駆動力を伝達する伝達機構２７０とを有している。２つのファン２６１，２６２は、軸部材２６３に固定されている。軸部材２６３は、インクジェットヘッド２よりも搬送方向Ｃの下流において、外周面４５よりも上方であってインクジェットヘッド２の上端よりも外周面４５側に配置されている。すなわち、ファン２６１，２６２の回転軸が、図３（ａ）に示すように、外周面４５に対してインクジェットヘッド２と同じ側に配置され且つインクジェットヘッド２の上端に対して外周面４５と同じ側に配置されている。伝達機構２７０は、図３（ｂ）に示すように、軸部材２６３に固定されたプーリ２７１と、軸部材４２ｘに固定されたプーリ２７２と、両プーリ２７１，２７２に架け渡されたベルト２７３とを有している。
【００３８】
この構成において、第１実施形態と同様に、駆動モータ８１によって軸部材４２ｘが回転すると、プーリ２７２も同方向に回転しベルト２７３がその回転力をプーリ２７１に伝達する。そして、プーリ２７１の回転に伴って軸部材２６３も回転しファン２６１，２６２が軸部材４２ｘと同方向に回転する。このときも、ファン２６１，２６２の回転によって図３（ｂ）中太矢印で示す方向（図中左方）に気流が発生する。この気流の発生によって第１実施形態と同様にインクミストがファン２６１，２６２によって吸引される。吸引されたインクミストは、配置位置が第１実施形態におけるよりも上方に配置されたインクミスト処理部７０において第１実施形態と同様に処理される。
【００３９】
以上のように、本実施形態によるインクジェットプリンタにおいても、第１実施形態と同様に、駆動機構８０の搬送ユニット４０を駆動する駆動力によりファン２６１，２６２が駆動され、筐体１ａ内の気中に漂うインクミストを吸引することができる。そして、駆動機構８０の駆動力をインクミストの吸引に利用しているので、専用の駆動源を別に設ける必要がなくなって部品点数の増加を抑制することができる。なお、第１実施形態と同様な構成においては同じ効果を得ることができる。
【００４０】
また、ファン２６１，２６２は、その回転軸が外周面４５に対してインクジェットヘッド２と同じ側に配置され且つインクジェットヘッド２の上端に対して外周面４５と同じ側に配置されているので、ファン２６１，２６２の回転によって生じる気流がファン２６２からファン２６１に向かって第１実施形態よりもスムーズに流れる。このため、インクミストを第１実施形態よりも効果的に吸引することができる。
【００４１】
以上、本発明の好適な実施の形態について説明したが、本発明は上述の実施の形態に限られるものではなく、特許請求の範囲に記載した限りにおいて様々な変更が可能なものである。上述の各実施形態においては、２つのファン６１，６２，２６１，２６２が設けられているが、１及び３以上のファンが設けられていてもよい。さらに、搬送方向Ｃに関して最も上流に位置するインクジェットヘッド２よりも上流にだけ、１以上のファンが設けられていてもよい。例えば、ファン６１と同様にベルトローラ４１の軸部材にファンが固定されていてもよい。また、２つのファン６１，６２は、搬送ベルト４４を挟む位置に配置されているが、例えば、２つのファン６１，６２がダクト７１内において回転軸方向に並んで配置されていてもよい。また、ファン６１，６２が、その外周縁が外周面４５から外側に突出しない直径を有していてもよい。
【００４２】
また、インクミスト処理部７０がフィルタ７２を有していなくてもよい。さらに、フィルタがファンによる気流方向に関してファンよりも下流においてファンと隣接して配置されている場合は、インクミスト処理部がダクトを有していなくてもよい。また、ファンによる気流方向に関して、ファンよりも下流においてファンと対向する位置に形成された筐体の開口がインクミスト処理部を構成していてもよい。
【００４３】
本発明によるインクジェット記録装置は、ライン式に限定されず、ヘッドが往復移動するシリアル式にも適用可能である。また、プリンタに限定されず、ファクシミリやコピー機などにも適用可能である。また、用紙Ｐを搬送する搬送ユニットが、搬送ベルト４４のようなエンドレスベルト以外に、用紙Ｐを外周面に保持しつつ周方向に回転することによって用紙Ｐを搬送するドラム、及び、用紙Ｐを平坦な搬送面に保持しつつ搬送方向に移動するプラテンなどを有していてもよい。また、吸引装置（ファン６１，６２、吸引装置２６０）は、インクミストのみならず気中を漂う紙粉などの異物も吸引することが可能である。
【図面の簡単な説明】
【００４４】
【図１】本発明の第１実施形態によるインクジェットプリンタの内部構造を示す概略側面図である。
【図２】図１に示す搬送ユニット及びその近傍を示す説明図である。
【図３】本発明の第２実施形態によるインクジェットプリンタの搬送ユニット及びその近傍を示す説明図である。
【符号の説明】
【００４５】
１  インクジェットプリンタ（インクジェット記録装置）
１ａ  筐体
２  インクジェットヘッド（インクジェット記録部）
４０  搬送ユニット（搬送機構）
４１  ベルトローラ
４２  ベルトローラ
４２ｘ  軸部材
４４  搬送ベルト
４５  外周面（支持面）
６１，６２  ファン（吸引装置）
７０  インクミスト処理部
８０  駆動機構（駆動部）
２６０  吸引装置
【図１】
0005343385.tif 000002
【図２】
0005343385.tif 000003
【図３】
0005343385.tif 000004